(57)【要約】【目的】展示販売の効率化と成約率の向上を図ることができるシステムキッチン用ショールームを提供すること。【構成】複数種のシステムキッチンを展示するショールームを、２種以上のシステムキッチンを展示して各システムキッチンの少なくとも収納容量の差を比較視認することができる検証ブース３と、２種以上のシリーズＡ，Ｂのシステムキッチンを比較視認することができるコンセプトブース４と、各シリーズＡ，Ｂに属する更に複数の種類のシステムキッチンを比較視認することができる複数の商品展示ブース５Ａ，５Ｂと、各シリーズＡ，Ｂに属する複数の種類のシステムキッチンに共通に組み込まれる複数の種類の機器を展示した機器展示ブース６Ａ，６Ｂと、ユーザーが選択した商品に基づいて配置図面と見積書等を作成し、これらをユーザーに提示して商談する商談ブース８と、を配置して構成する。【選択図】      図１
2005017834.tif 000002
【特許請求の範囲】
【請求項１】
複数種のシステムキッチンを展示するショールームであって、
２種以上のシステムキッチンを展示して各システムキッチンの少なくとも収納容量の差を比較視認することができる検証ブースと、
少なくとも材質とデザインが異なる２種以上のシリーズのシステムキッチンを展示して比較視認することができるコンセプトブースと、
コンセプトブースに展示した各シリーズに属する更に複数の種類のシステムキッチンを展示して比較視認することができる複数の商品展示ブースと、
商品展示ブースに展示した各シリーズに属する複数の種類のシステムキッチンに共通に組み込まれる複数の種類の機器を展示した機器展示ブースと、
ユーザーが選択した商品に基づいて少なくとも配置図面と見積書を作成し、これらをユーザーに提示して商談する商談ブースと、
を配置し、前記検証ブース、コンセプトブース、商品展示ブース、機器展示ブース、商談ブースの順にユーザーを案内することを特徴とするシステムキッチン用ショールーム。
【請求項２】
前記コンセプトブースを中央にして、複数の前記商品展示ブースをシリーズ毎に左右又は放射状に配置したことを特徴とする請求項１記載のシステムキッチン用ショールーム。
【請求項３】
前記検証ブースに、比較の基準となる収納容量を示す基準展示台を設けたことを特徴とする請求項１又は２記載のシステムキッチン用ショールーム。
【請求項４】
前記商品展示ブースに、そのシリーズの標準セットを展示したことを特徴とする請求項１〜３の何れかに記載のシステムキッチン用ショールーム。
【請求項５】
少なくとも前記商品展示ブースの各商品前の床に、その商品の特徴を列挙した説明シートを貼付したことを特徴とする請求項１〜４の何れかに記載のシステムキッチン用ショールーム。
【発明の詳細な説明】
【０００１】
【発明の属する技術分野】
本発明は、システムキッチンの展示販売を目的としたショールームに関するものであり、更に詳細にはフローチャートシステムを採用することによってシステムキッチンの効率的な展示販売を可能としたシステムキッチン用ショールームに関するものである。
【０００２】
【従来の技術】
システムキッチンの展示販売を目的とした従来のショールームにおいては、商品毎或は機器毎に簡易区画した展示ブースが配置されており、来訪したユーザーは、ランダムに或は指定された順路等に従って、基本的には展示された商品や説明書を自由に見て回り、説明員がそれを補助するのが一般的であった。
【０００３】
尚、この種のショールームに関する従来技術としては特許文献１〜４等が挙げられる。
【０００４】
【特許文献１】
特許第３２８０８８２号公報
【０００５】
【特許文献２】
特開２０００−９９６５０号公報
【０００６】
【特許文献３】
特開平６−４２９７９号公報
【０００７】
【特許文献４】
特開２００１−４６１９０号公報
【０００８】
【発明が解決しようとする課題】
しかしながら、従来のシステムキッチン用ショールームにおいては、説明員の観点或は説明の効率性という観点から、以下のような問題点が指摘される。
（１）商品の機能的・デザイン的・価格的特徴をユーザーに強く印象付けることができない。
（２）説明員にとっては、ユーザーの要求（例えば、予算、要求機能等）と説明している商品が適合しているか否かを判断し難い。
（３）各商品に共通に組み込まれるコンロ、食器洗浄器等の家電機器、水洗金具等の部品等について説明員が展示ブース毎に繰り返して説明する場合が多い。
（４）商品説明の内容と流れがユーザーの動きによって影響されるため、ストーリー立てた充分な説明がしにくく、説明員の経験によって説明の量と質に差が生じていた。
（５）来訪者の流れや展示ブース毎の滞留時間がまちまちであり、混雑する展示ブースも生じていた。
【０００９】
以上列挙した（１）〜（５）の問題点は、説明時間が長くて効率が悪く、来訪者数が多い割には成約率が低いという結果を招く原因となっていた。
【００１０】
本発明は上記問題に鑑みてなされたもので、その目的とする処は、展示販売の効率化と成約率の向上を図ることができるシステムキッチン用ショールームを提供することにある。
【００１１】
【課題を解決するための手段】
上記目的を達成するため、請求項１記載の発明は、複数種のシステムキッチンを展示するショールームを、
２種以上のシステムキッチンを展示して各システムキッチンの少なくとも収納容量の差を比較視認することができる検証ブースと、
少なくとも材質とデザインが異なる２種以上のシリーズのシステムキッチンを展示して比較視認することができるコンセプトブースと、
コンセプトブースに展示した各シリーズに属する更に複数の種類のシステムキッチンを展示して比較視認することができる複数の商品展示ブースと、
商品展示ブースに展示した各シリーズに属する複数の種類のシステムキッチンに共通に組み込まれる複数の種類の機器を展示した機器展示ブースと、
ユーザーが選択した商品に基づいて少なくとも配置図面と見積書を作成し、これらをユーザーに提示して商談する商談ブースと、
を配置して構成し、前記検証ブース、コンセプトブース、商品展示ブース、機器展示ブース、商談ブースの順にユーザーを案内するようにしたことを特徴とする。
【００１２】
従って、請求項１記載の発明によれば、検証ブースにおいてユーザーに現状のキッチンの問題点を認識させて購買意欲を喚起し、次のコンセプトブースに案内して好みのシリーズを選択させると、以後はそのシリーズに属する商品展示ブースと機器展示ブースへと案内し、他のシリーズに属する商品展示ブースと機器展示ブースへの案内を省略することができるため、商品案内を経て商談に至るまでの時間が短縮され、展示販売の効率化を図ることができる。又、ユーザーに対してキッチンの現状の問題を認識させ、その問題を解決するための商品を提示し、販売対象である商品の優位性をユーザーに強く印象付けることができるとともに、工務店やリフォーム業者等のサブユーザー（以下、サブユーザーと言う）が所定の経路及び手順に沿ってユーザーに対して主導的に商品の説明を行うことができるため、ユーザーのサブユーザーに対する信頼性が高められ、これによって成約率の向上が図られる。
【００１３】
請求項２記載の発明は、請求項１記載の発明において、前記コンセプトブースを中央にして、複数の前記商品展示ブースをシリーズ毎に左右又は放射状に配置したことを特徴とする。
【００１４】
従って、請求項２記載の発明によれば、ショールームにおいて複数の商品展示ブースをコンセプトブースを中心としてシリーズ毎にコンパクトに配置することができ、合理的な配置を実現してスペースの有効利用を図ることができる。又、複数の商品展示ブースがコンセプトブースを中心としてシリーズ毎に明確に区分されて配置されるため、ユーザーが商品の選択に際して迷うことが少なくなる。
【００１５】
請求項３記載の発明は、請求項１又は２記載の発明において、前記検証ブースに、比較の基準となる収納容量を示す基準展示台を設けたことを特徴とする。
【００１６】
従って、請求項３記載の発明によれば、検証ブースに設置された基準展示台に基準的な収納容量を示すことによって、ユーザーにキッチンの収納容量に対する現状の問題点を正しく認識させることとができる。
【００１７】
請求項４記載の発明は、請求項１〜３の何れかに記載の発明において、前記商品展示ブースに、そのシリーズの標準セットを展示したことを特徴とする。
【００１８】
従って、請求項４記載の発明によれば、各シリーズの商品展示ブースに展示された標準セットに基づいてユーザーは価格等についての基本プランを容易に立てることができ、それをベースとして予算に応じたオプションプランを立てることができる。
【００１９】
請求項５記載の発明は、請求項１〜４の何れかに記載の発明において、少なくとも前記商品展示ブースの各商品前の床に、その商品の特徴を列挙した説明シートを貼付したことを特徴とする。
【００２０】
従って、請求項５記載の発明によれば、サブユーザーは床に貼付された説明シートに記された説明文に従ってユーザーに対する商品説明をスムーズに行うことができ、商品の特長等をユーザーに対して的確に示唆することができるため、ユーザーのサブユーザーに対する信頼感が増し、このことが成約率の向上に繋がるという好結果が得られる。
【００２１】
【発明の実施の形態】
以下に本発明の実施の形態を添付図面に基づいて説明する。
【００２２】
図１は本発明に係るシステムキッチン用ショールームの平面図であり、同図において、１は正面入口２（図１の下方中央部）の奥に設置された受付コーナーであり、この受付コーナー１の斜め前方であって、正面入口２の側方コーナー部には検証ブース３が設置されている。
【００２３】
上記検証ブース３は、２種以上のシステムキッチンを展示して各システムキッチンの少なくとも収納容量の差を比較視認することができるコーナーであって、キッチンの現状の問題点（特に、収納容量不足）の認識とその問題を解決するための商品をユーザーに提示することを目的としている。
【００２４】
具体的に本実施の形態では、従来型の開き扉式のシステムキッチン３−１と販売対象としての例えばフロアコンテナシステムキッチン（本出願人所有の登録商標：引き出し式収納を特徴とするシステムキッチン）３−２とを対面させて配置するとともに、比較の基準となる収納容量を示す基準展示台としての透明なアクリルタワー３−３を設置している。
【００２５】
ここで、上記アクリルタワー３−３には、一般的な家族４人分を想定した各種調理器具や保存食品等が収納されており、前記従来型のシステムキッチン３−１と販売対象としてのシステムキッチン３−３の各々にはアクリルタワー３−３に収納されているものと全く同じ各種調理器具や保存食品等が収納されている。
【００２６】
又、前記受付コーナー１の奥側には、少なくとも材質とデザインが異なる２種以上のシリーズのシステムキッチンを比較視認することができるコンセプトブース４が設置されている。
【００２７】
上記コンセプトブース４は、販売対象としてのシステムキッチンのシリーズをユーザーに分かり易く紹介するコーナーであって、本実施の形態では、２つのシリーズＡ，Ｂのシステムキッチン４−１，４−２を展示しており、ユーザーは、先ず、これらのシリーズＡ，Ｂから好みのシリーズを選択することができる。
【００２８】
そして、このコンセプトブース４を中央にして、これの左右に商品展示ブース５Ａ，５Ｂと機器展示ブース６Ａ，６ＢがシリーズＡ，Ｂ毎に配置されている。尚、本実施の形態では、コンセプトブース４には２つのシリーズＡ，Ｂのシステムキッチン４−１，４−２を展示したが、３つ以上のシリーズＡ，Ｂ，Ｃ，…のシステムキッチンを展示する場合には、そのシリーズ数と同数の商品展示ブースがコンセプトブースを中央にしてシリーズＡ，Ｂ，Ｃ，…毎に放射状に配置される。
【００２９】
ここで、各商品展示ブース５Ａ，５Ｂは、各シリーズＡ，Ｂに属する更に複数の種類のシステムキッチン５Ａ−１〜５Ａ−７，５Ｂ−１〜５Ｂ−７を比較視認することができるコーナーであって、各商品展示ブース５Ａ，５Ｂには、そのシリーズＡ，Ｂに属するシステムキッチン５Ａ，５Ｂの例えば価格の異なる標準セット５Ａ−１，５Ｂ−１がそれぞれ展示されている。
【００３０】
そして、各シリーズＡ，Ｂのそれぞれの商品展示ブース５Ａ，５Ｂにおいては、展示された各商品前の床には、その商品の特徴を列挙した説明シート７が貼付されている。図２に説明シート７の一例を示すが、本実施の形態では、説明シート７に記された文字は２色で区別されており、青い文字で記されたコメントはそのシリーズに属する全ての展示品に共通する説明となっている。又、説明シート７の内容がどの部分を指しているかは、説明シート７中に付された「指マーク」７ａ〜７ｃによって示されている。
【００３１】
又、前記機器展示ブース６Ａ，６Ｂは、各シリーズＡ，Ｂに属する複数の種類のシステムキッチン５Ａ−１〜５Ａ−７，５Ｂ−１〜５Ｂ−７に共通に組み込まれる複数の種類の機器を展示するコーナーであって、ここに展示される機器としては、ガス機器、ＩＨヒータ、レンジフード、食器洗浄器、水洗金具、キッチンパネル等が挙げられる。
【００３２】
そして、図１に示すように、前記コンセプトブース４の奥側には商談ブース８が設置されている。この商談ブース８は、ユーザーが何れかのシリーズＡ，Ｂから選択した商品に基づいて少なくとも配置図面と見積書をパソコンによって作成し、これらをユーザーに提示して商談するコーナーである。
【００３３】
而して、本発明に係るシステムキッチン用ショールームは、以上説明した検証ブース３、コンセプトブース４、商品展示ブース５Ａ，５Ｂ、機器展示ブース６Ａ，６Ｂ及び商談ブース８を配置して構成されるが、ユーザーは自分の好みに応じて検証ブース３、コンセプトブース４、商品展示ブース５Ａ又は５Ｂ、機器展示ブース６Ａ又は６Ｂ、商談ブース８の順にフローチャート式に案内される。
【００３４】
次に、本発明に係るシステムキッチン用ショールームにおけるシステムキッチンの展示販売の具体的な手順を図３のフローチャートに基づいて説明する。
【００３５】
本発明に係るシステムキッチン用ショールームにおいては、ユーザーと共に来訪したサブユーザーが主導的な役割を果たし、当該ショールームに所属するアドバイザーはオブザーバー的な役割を果たすとともに、基本的にユーザーが選択したシリーズのシステムキッチンのみを案内して他のシリーズのシステムキッチンの案内は省略して展示販売の効率化と成約率の向上を図ることを目的としている。つまり、本発明に係るシステムキッチン用ショールームは、フローチャートシステムを採用したサブユーザー主導型の最適商談システムを構築したものである。
【００３６】
当該ショールームに来訪したユーザーとサブユーザーは、先ず、図１に示す受付コーナー１において受付を済ませ（図３のステップＳ１）、サブユーザーはガイドボードを受け取り、そのガイドボードを参照しながら以下の手順でユーザーを案内する。この場合、前述のようにオブザーバー的な役割を果たすアドバイザーも同行し、ユーザーを前記検証ブース３に案内する（ステップＳ２）。尚、案内は、例えば床上に添付された表示シートや床上に立設された立て看板、或は電子的なディスプレイ等に表示された矢印や番号に従って所定の順路を経てなされる。
【００３７】
検証ブース３はいわば問題発見コーナーであって、ここでは、先ず、アクリルタワー３−３に収納された各種調理器具や保存食品等を視認することによって、キッチンに納めるべき調理器具の量の多さをユーザーに認識させる。そして、この多い調理器具や保存食品等を従来型の開き扉式のシステムキッチン３−１と販売対象としての例えばフロアコンテナシステムキッチンであるシステムキッチン３−２に収納した場合の両システムキッチン３−１，３−２の収納容量の差をユーザーに視認せしめ、現状の問題点（特に、収納容量不足）を認識させるとともに、販売対象としての最新式のシステムキッチン３−２の収納容量等における優位性をユーザーに印象付け、ユーザーの購買意欲を喚起する。
【００３８】
ここで、ユーザーが興味を示し、問題を解決するための商品を見たいという希望があれば（ステップ３での判断結果がＹＥＳである場合）、ユーザーを前記コンセプトブース４に案内する（ステップＳ４）。尚、ユーザーが余り興味を示さず、商品を勝手に見たい旨を希望する場合（ステップＳ３での判断結果がＮＯである場合）には、従来のショールームの形態と同様にユーザーは自分の意志で商品をアトランダムに自由に見て回ることもできる（ステップＳ５）。
【００３９】
而して、ユーザーが商品を見たいと希望する場合には、前述のようにユーザーを前記コンセプトブース４に案内するが、コンセプトブース４には、前述のように少なくとも材質とデザインが異なるシリーズＡ，Ｂの２種のシステムキッチン４−１，４−２が展示されており、ユーザーは、これら２種のシステムキッチン４−１，４−２の材質やデザイン等をそれぞれ比較視認することによって、何れのシリーズＡ又はＢのシステムキッチン４−１又は４−２が自分の好みに合致するかを決定することができる（ステップＳ６）。
【００４０】
ここで、例えばユーザーがシリーズＡを選択した場合には、以後はこのシリーズＡに属する商品展示ブース５Ａと機器展示ブース５Ｂへとユーザーを案内し（ステップＳ７，Ｓ８）、シリーズＢに属する商品展示ブース５Ｂと機器展示ブース６Ｂへの案内は省略する。逆に、ユーザーがシリーズＢを選択した場合には、以後はこのシリーズＢに属する商品展示ブース５Ｂと機器展示ブース６Ｂへとユーザーを案内し（ステップＳ９，Ｓ１０）、シリーズＡに属する商品展示ブース５Ａと機器展示ブース６Ａへの案内は省略する。
【００４１】
ユーザーがシリーズＡを選択した場合、このシリーズＡに属する商品展示ブース５Ａへとユーザーを案内する（ステップＳ７）が、この商品展示ブース５Ａには、前述のようにシリーズＡに属するシステムキッチンの例えば価格の異なる標準セット５Ａ−１と他の複数の種類のシステムキッチン５Ａ−２〜５Ａ−７が展示されている。
【００４２】
ところで、前述のように、商品展示ブース５Ａに展示された各商品前の床には、その商品の特徴を列挙した説明シート７（図２参照）が貼付されており、サブユーザーはその説明シート７に記された説明文に従って商品の特長をユーザーに対して説明することができる。
【００４３】
従って、この商品展示ブース５Ａにおいては、ユーザーは、シリーズＡに属する商品を実際に１つ１つチェックしながら、自分のキッチンに欲しい商品を選択することができる。
【００４４】
以上のように、商品展示ブース５Ａにおいてユーザーが自分のキッチンに欲しい商品を選択すると、次に、ユーザーを機器展示ブース６Ａに案内する（ステップＳ８）。
【００４５】
前述のように、機器展示ブース６Ａは、シリーズＡに属する複数の種類のシステムキッチン５Ａ−１〜５Ａ−７に共通に組み込まれる複数の種類の機器を展示するコーナーであって、ここにはガス機器、ＩＨヒータ、レンジフード、食器洗浄器、水洗金具、キッチンパネル等がそれぞれ複数展示されており、ユーザーはこれらの機器から好みのものを自由に選択することができる。
【００４６】
以上のように、シリーズＡに属する商品展示ブース５Ａ及び機器展示ブース６Ａに展示された商品の中からユーザーが希望する商品を選択すると、最後にユーザーを前記商談ブース８に案内する（ステップＳ１１）。この商談ブース８では、ユーザーが選択した商品に基づいて少なくとも配置図面と見積書をパソコンによって作成し、これらをユーザーに提示して商談がなされる。
【００４７】
尚、ユーザーがシリーズＢを選択した場合には、このシリーズＢに属する商品展示ブース５Ｂ及び機器展示ブース６Ｂに展示された商品の中からユーザーが希望する商品を選択すると、同じくユーザーを商談ブース８に案内する。
【００４８】
以上が本発明に係るシステムキッチン用ショールームにおけるシステムキッチンの展示販売の具体的な手順であるが、本発明に係るシステムキッチン用ショールームにおいては、検証ブース３においてユーザーに現状のキッチンの問題点を認識させて購買意欲を喚起し、次のコンセプトブース４に案内して好みのシリーズＡ（又はＢ）を選択させると、以後はそのシリーズＡ（又はＢ）に属する商品展示ブース５Ａ（又は５Ｂ）と機器展示ブース６Ａ（又は６Ｂ）へと案内し、他のシリーズＢ（又はＡ）に属する商品展示ブース５Ｂ（又は５Ａ）と機器展示ブース６Ｂ（又は６Ａ）への案内を省略することができるため、商品案内を経て商談に至るまでの時間が短縮され、展示販売の効率化を図ることができる。
【００４９】
又、ユーザーに対してキッチンの現状の問題を認識させ、その問題を解決するための商品を提示し、販売対象である商品の優位性をユーザーに強く印象付けることができるとともに、工務店やリフォーム業者等のサブユーザーが所定の経路及び手順に沿ってユーザーに対して主導的に商品の説明を行うことができるため、ユーザーのサブユーザーに対する信頼性が高められ、これによって成約率の向上が図られる。特に、本実施の形態では、検証ブース３に、比較の基準となる収納容量を示す基準展示台としてのアクリルタワー３−３を設置したため、ユーザーにキッチンの収納容量に対する現状の問題点を正しく認識させることができる。
【００５０】
更に、本実施の形態では、コンセプトブース４を中央にして、複数の商品展示ブース５Ａ，５ＢをシリーズＡ，Ｂ毎に左右に配置したため、ショールームにおいて複数の商品展示ブース５Ａ，５Ｂと機器展示ブース６Ａ，６Ｂをコンセプトブース４を中心としてシリーズＡ，Ｂ毎にコンパクトに配置することができ、合理的な配置を実現してスペースの有効利用を図ることができる。そして、複数の商品展示ブース５Ａ，５Ｂをコンセプトブース４を中心としてシリーズＡ，Ｂ毎に明確に区分して配置したため、ユーザーが商品の選択に際して迷うことが少なくなる。
【００５１】
又、本実施の形態では、各シリーズＡ，Ｂの商品展示ブース５Ａ，５Ｂに、そのシリーズの標準セット５Ａ−１，５Ｂ−１を展示したため、その標準セット５Ａ−１又は５Ｂ−１に基づいてユーザーは価格等についての基本プランを容易に立てることができ、それをベースとして予算に応じたオプションプランを立てることができる。
【００５２】
そして、本実施の形態では、各シリーズＡ，Ｂの商品展示ブース５Ａ，５Ｂの各商品前の床に、その商品の特徴を列挙した図２に示すような説明シート７を貼付したため、工務店やリフォーム業者等のサブユーザーは、その説明シート７に記された説明文に従ってユーザーに対する商品説明をスムーズに行うことができ、商品の特長等をユーザーに対して的確に示唆することができる。そして、このことによって、ユーザーのサブユーザーに対する信頼感が増し、結果的に成約率の向上が図られることとなる。
【００５３】
【発明の効果】
以上の説明で明らかなように、請求項１記載の発明によれば、検証ブースにおいてユーザーに現状のキッチンの問題点を認識させて購買意欲を喚起し、次のコンセプトブースに案内して好みのシリーズを選択させると、以後はそのシリーズに属する商品展示ブースと機器展示ブースへと案内し、他のシリーズに属する商品展示ブースと機器展示ブースへの案内を省略することができるため、商品案内を経て商談に至るまでの時間が短縮され、展示販売の効率化を図ることができる。又、ユーザーに対してキッチンの現状の問題を認識させ、その問題を解決するための商品を提示し、販売対象である商品の優位性をユーザーに強く印象付けることができるとともに、サブユーザーが所定の経路及び手順に沿ってユーザーに対して主導的に商品の説明を行うことができるため、ユーザーのサブユーザーに対する信頼性が高められ、これによって成約率の向上が図られるという効果も得られる。
【００５４】
請求項２記載の発明によれば、ショールームにおいて複数の商品展示ブースをコンセプトブースを中心としてシリーズ毎にコンパクトに配置することができ、合理的な配置を実現してスペースの有効利用を図ることができるという効果が得られる。又、複数の商品展示ブースがコンセプトブースを中心としてシリーズ毎に明確に区分されて配置されるため、ユーザーが商品の選択に際して迷うことが少なくなる。
【００５５】
請求項３記載の発明によれば、検証ブースに設置された基準展示台に基準的な収納容量を示すことによって、ユーザーにキッチンの収納容量に対する現状の問題点を正しく認識させることとができるという効果が得られる。
【００５６】
請求項４記載の発明によれば、各シリーズの商品展示ブースに展示された標準セットに基づいてユーザーは価格等についての基本プランを容易に立てることができ、それをベースとして予算に応じたオプションプランを立てることができるという効果が得られる。
【００５７】
請求項５記載の発明によれば、サブユーザーは床に貼付された説明シートに記された説明文に従ってユーザーに対する商品説明をスムーズに行うことができ、商品の特長等をユーザーに対して的確に示唆することができるため、ユーザーのサブユーザーに対する信頼感が増し、このことが成約率の向上に繋がるという好結果が得られる。
【図面の簡単な説明】
【図１】本発明に係るシステムキッチン用ショールームの平面図である。
【図２】説明シートの一例を示す図である。
【図３】本発明に係るシステムキッチン用ショールームにおけるシステムキッチンの展示販売の具体的な手順を示すフローチャートである。
【符号の説明】
１                  受付コーナー
２                  正面入口
３                  検証ブース
３−１，３−２      システムキッチン
３−３              アクリルタワー（基準展示台）
４                  コンセプトブース
４−１，４−２      システムキッチン
５Ａ，５Ｂ          商品展示ブース
５Ａ−１〜５Ａ−７  システムキッチン
６Ａ，６Ｂ          機器展示ブース
７                  説明シート
８                  商談ブース
【図１】
2005017834.tif 000003
【図２】
2005017834.tif 000004
【図３】
2005017834.tif 000005